(57)【特許請求の範囲】
【請求項１】
遊技媒体が移動する遊技媒体通路を備えた遊技機において、
前記遊技媒体通路は、
組み合わせることによって通路を構成する少なくとも２つの第１分割体及び第２分割体と、
前記通路の外面のうち前記第１分割体と前記第２分割体とを組み合わせた状態における前記第１分割体と前記第２分割体の接合部位を跨いで前記通路の外面に係着し、前記第１分割体と前記第２分割体の接合状態を維持する少なくとも２つの第１係着部材及び第２係着部材と、
を備え、
前記通路の外面のうち前記第１係着部材を係着する第１係着部位と前記第２係着部材を係着する第２係着部位との形状が異なることを特徴とする遊技機。
【請求項２】
前記第１係着部材を前記第１係着部位に係着し、前記第２係着部材を前記第２係着部位に係着した場合に、前記通路内の遊技媒体が当接する前記接合部位の内面が段差の無い状態となることを特徴とする請求項１に記載の遊技機。
【請求項３】
前記第１分割体と前記第２分割体は、前記通路内の遊技媒体が移動する方向に対して傾斜する方向或いは直交する方向に組み合わされて前記接合部位が前記通路内の遊技媒体が移動する方向に対して一致する方向或いは傾斜する方向に沿う構成からなり、
前記第１係着部材と前記第２係着部材は、前記通路内の遊技媒体が移動する方向に対して傾斜する方向或いは直交する方向に前記接合部位を跨いで前記第１係着部位と前記第２係着部位に係着することを特徴とする請求項１または２に記載の遊技機。
【請求項４】
前記第１分割体と前記第２分割体は、前記通路内の遊技媒体が移動する方向に組み合わされて前記接合部位が前記通路内の遊技媒体が移動する方向に対して傾斜した方向或いは直交方向に沿う構成からなり、
前記第１係着部材と前記第２係着部材は、前記接合部位を跨いで前記第１係着部位と前記第２係着部位に係着することを特徴とする請求項１または２に記載の遊技機。
【請求項５】
前記通路は、少なくとも一部が屈曲形状に構成され、
前記第１係着部位と前記第２係着部位は、互いに非平行に設けられ、
前記第１係着部材と前記第２係着部材とを前記第１係着部位と前記第２係着部位に係着した際に、前記第１係着部材と前記第２係着部材が平行にならないことを特徴とする請求項１から４の何れか一項に記載の遊技機。
【請求項６】
前記第１係着部材は前記通路の外面の前記第１係着部位が嵌る孔或いは切り欠きを有し、
前記第２係着部材は前記通路の外面の前記第２係着部位が嵌る孔或いは切り欠きを有し、
前記第１係着部位と前記第２係着部位における前記通路の外周の大きさが互いに異なり、
前記第１係着部材と前記第２係着部材の前記孔或いは切り欠きは、前記第１係着部位と前記第２係着部位における前記通路の外周の大きさに合わせて互いに異なっていることを特徴とする請求項１から５の何れか一項に記載の遊技機。
【請求項７】
前記第１係着部位と前記第２係着部位における前記通路の外周は、何れも円形又は多角形からなり、あるいは一方が円形、他方が多角形からなり、
前記第１係着部材と前記第２係着部材の前記孔或いは切り欠きは、前記第１係着部位と前記第２係着部位における前記通路の外周の形状に合わせた形状からなることを特徴とする請求項６に記載の遊技機。
【請求項８】
前記通路の外面は階段形状からなり、
前記第１係着部位と前記第２係着部位は、前記通路の外面の異なる段差位置からなることを特徴とする請求項６または７に記載の遊技機。
【請求項９】
前記第１係着部位と前記第２係着部位における前記通路の外面の前記段差位置の起立壁面が互いに非平行に形成され、前記段差位置の起立壁面が係着部材の係着位置決め部であることを特徴とする請求項８に記載の遊技機。
【請求項１０】
前記第１係着部材及び前記第２係着部材の前記孔或いは切り欠きへ挿入される前記通路の一端側から見て手前側に前記第１係着部位が位置し、奥側に前記第２係着部位が位置し、
前記通路の外周は前記手前側の前記第１係着部位が前記奥側の前記第２係着部位よりも小さく形成されると共に、前記第１係着部材の前記孔或いは切り欠きが前記第２係着部材の前記孔或いは切り欠きよりも小さく形成されており、
前記孔或いは切り欠きの小さい第１係着部材と前記孔或いは切り欠きの大きい第２係着部材は、前記孔或いは切り欠きの大きい第２係着部材を前記奥側の第２係着部位に係着した後でなければ前記孔或いは切り欠きの小さい第１係着部材を前記手前側の第１係着部位に係着できないことを特徴とする請求項８または９に記載の遊技機。
【請求項１１】
前記第１係着部材及び前記第２係着部材の前記孔或いは切り欠きに挿入される前記通路の一端側から見て手前側に前記第１係着部位が位置し、奥側に前記第２係着部位が位置し、
前記通路の外周は前記手前側の前記第１係着部位が前記奥側の前記第２係着部位よりも小さく形成されると共に、前記第１係着部材の前記孔或いは切り欠きが前記第２係着部材の前記孔或いは切り欠きよりも小さく形成されると共に、前記第１係着部材は前記第２係着部材の孔或いは切り欠きを通過可能な大きさからなり、
前記孔或いは切り欠きの小さい第１係着部材と前記孔或いは切り欠きの大きい第２係着部材は、前記孔或いは切り欠きの大きい第２係着部材を前記奥側の第２係着部位に係着した後に前記孔或いは切り欠きの小さい第１係着部材を前記手前側の第１係着部位に係着可能であると共に、逆に前記孔或いは切り欠きの小さい第１係着部材を前記手前側の第１係着部位に係着させた後に、前記孔或いは切り欠きの大きい第２係着部材が前記第１係着部位における前記第１係着部材の外周を通り越して前記奥側の第２係着部位に係着することも可能であることを特徴とする請求項８または９に記載の遊技機。
【発明の詳細な説明】
【技術分野】
【０００１】
本発明は、遊技媒体が移動する遊技媒体通路を備えた遊技機に関する。
【背景技術】
【０００２】
従来、例えば、パチンコ遊技機などの遊技機においては、球通路などの通路を、複数の筒体を組み合わせて構成したものがある。
【先行技術文献】
【特許文献】
【０００３】
【特許文献１】特開２００６−３４７６９号公報
【発明の概要】
【発明が解決しようとする課題】
【０００４】
しかしながら、例えば、複数の筒体を遊技媒体の移動方向に組み合わせることによって通路を構成した場合には、複数の筒体にズレが生じたりなどして、通路内を移動する遊技媒体がスムーズに移動できない虞がある。
【０００５】
本発明は、前記の点に鑑みなされたものであって、通路内を遊技媒体がスムーズに移動可能な遊技機の提供を目的とする。
【課題を解決するための手段】
【０００６】
請求項１の発明は、遊技媒体が移動する遊技媒体通路を備えた遊技機において、前記遊技媒体通路は、組み合わせることによって通路を構成する少なくとも２つの第１分割体及び第２分割体と、前記通路の外面のうち前記第１分割体と前記第２分割体とを組み合わせた状態における前記第１分割体と前記第２分割体の接合部位を跨いで前記通路の外面に係着し、前記第１分割体と前記第２分割体の接合状態を維持する少なくとも２つの第１係着部材及び第２係着部材と、を備え、前記通路の外面のうち前記第１係着部材を係着する第１係着部位と前記第２係着部材を係着する第２係着部位との形状が異なることを特徴とする。
【０００７】
請求項２の発明は、請求項１において、前記第１係着部材を前記第１係着部位に係着し、前記第２係着部材を前記第２係着部位に係着した場合に、前記通路内の遊技媒体が当接する前記接合部位の内面が段差の無い状態となることを特徴とする。
【０００８】
請求項３の発明は、請求項１または２において、前記第１分割体と前記第２分割体は、前記通路内の遊技媒体が移動する方向に対して傾斜する方向或いは直交する方向に組み合わされて前記接合部位が前記通路内の遊技媒体が移動する方向に対して一致する方向或いは傾斜する方向に沿う構成からなり、前記第１係着部材と前記第２係着部材は、前記通路内の遊技媒体が移動する方向に対して傾斜する方向或いは直交する方向に前記接合部位を跨いで前記第１係着部位と前記第２係着部位に係着することを特徴とする。
【０００９】
請求４の発明は、請求項１または２において、前記第１分割体と前記第２分割体は、前記通路内の遊技媒体が移動する方向に組み合わされて前記接合部位が前記通路内の遊技媒体が移動する方向に対して傾斜した方向或いは直交方向に沿う構成からなり、前記第１係着部材と前記第２係着部材は、前記接合部位を跨いで前記第１係着部位と前記第２係着部位に係着することを特徴とする。
【００１０】
請求項５の発明は、請求項１から４の何れか一項において、前記通路は、少なくとも一部が屈曲形状に構成され、前記第１係着部位と前記第２係着部位は、互いに非平行に設けられ、前記第１係着部材と前記第２係着部材とを前記第１係着部位と前記第２係着部位に係着した際に、前記第１係着部材と前記第２係着部材が平行にならないことを特徴とする。
【００１１】
請求項６の発明は、請求項１から５の何れか一項において、前記第１係着部材は前記通路の外面の前記第１係着部位が嵌る孔或いは切り欠きを有し、前記第２係着部材は前記通路の外面の前記第２係着部位が嵌る孔或いは切り欠きを有し、前記第１係着部位と前記第２係着部位における前記通路の外周の大きさが互いに異なり、前記第１係着部材と前記第２係着部材の前記孔或いは切り欠きは、前記第１係着部位と前記第２係着部位における前記通路の外周の大きさに合わせて互いに異なっていることを特徴とする。
【００１２】
請求項７の発明は、請求項６において、前記第１係着部位と前記第２係着部位における前記通路の外周は、何れも円形又は多角形からなり、あるいは一方が円形、他方が多角形からなり、前記第１係着部材と前記第２係着部材の前記孔或いは切り欠きは、前記第１係着部位と前記第２係着部位における前記通路の外周の形状に合わせた形状からなることを特徴とする。
【００１３】
請求項８の発明は、請求項６または７において、前記通路の外面は階段形状からなり、前記第１係着部位と前記第２係着部位は、前記通路の外面の異なる段差位置からなることを特徴とする。
【００１４】
請求項９の発明は、請求項８において、前記第１係着部位と前記第２係着部位における前記通路の外面の前記段差位置の起立壁面が互いに非平行に形成され、前記段差位置の起立壁面が係着部材の係着位置決め部であることを特徴とする。
【００１５】
請求項１０の発明は、請求項８または９において、前記第１係着部材及び前記第２係着部材の前記孔或いは切り欠きへ挿入される前記通路の一端側から見て手前側に前記第１係着部位が位置し、奥側に前記第２係着部位が位置し、前記通路の外周は前記手前側の前記第１係着部位が前記奥側の前記第２係着部位よりも小さく形成されると共に、前記第１係着部材の前記孔或いは切り欠きが前記第２係着部材の前記孔或いは切り欠きよりも小さく形成されており、前記孔或いは切り欠きの小さい第１係着部材と前記孔或いは切り欠きの大きい第２係着部材は、前記孔或いは切り欠きの大きい第２係着部材を前記奥側の第２係着部位に係着した後でなければ前記孔或いは切り欠きの小さい第１係着部材を前記手前側の第１係着部位に係着できないことを特徴とする。
【００１６】
請求項１１の発明は、請求項８または９において、前記第１係着部材及び前記第２係着部材の前記孔或いは切り欠きに挿入される前記通路の一端側から見て手前側に前記第１係着部位が位置し、奥側に前記第２係着部位が位置し、前記通路の外周は前記手前側の前記第１係着部位が前記奥側の前記第２係着部位よりも小さく形成されると共に、前記第１係着部材の前記孔或いは切り欠きが前記第２係着部材の前記孔或いは切り欠きよりも小さく形成されると共に、前記第１係着部材は前記第２係着部材の孔或いは切り欠きを通過可能な大きさからなり、前記孔或いは切り欠きの小さい第１係着部材と前記孔或いは切り欠きの大きい第２係着部材は、前記孔或いは切り欠きの大きい第２係着部材を前記奥側の第２係着部位に係着した後に前記孔或いは切り欠きの小さい第１係着部材を前記手前側の第１係着部位に係着可能であると共に、逆に前記孔或いは切り欠きの小さい第１係着部材を前記手前側の第１係着部位に係着させた後に、前記孔或いは切り欠きの大きい第２係着部材が前記第１係着部位における前記第１係着部材の外周を通り越して前記奥側の第２係着部位に係着することも可能であることを特徴とする。
ことを特徴とする。
【発明の効果】
【００１７】
請求項１の発明によれば、通路の外面のうち第１分割体と第２分割体とを組み合わせた状態における第１分割体と第２分割体の接合部位を跨いで通路の外面に係着し、第１分割体と第２分割体の接合状態を維持する少なくとも２つの第１係着部材及び第２係着部材を備えるため、通路内を遊技媒体がスムーズに移動することが可能となる。また、第１係着部材を係着する第１係着部位と第２係着部材を係着する第２係着部位との形状が異なるため、第１係着部位と第２係着部位とを間違えて係着部材を係着する虞を低減させることが可能となる。なお、本発明における前記「形状が異なる」は、「大きさが異なる」ことを含むものであり、例えば、相似形であって大きさが異なる場合も「形状が異なる」ことになる。また、「係着する」は係合あるいは嵌合等で取り付けられることを意味する。
【００１８】
請求項２の発明によれば、第１係着部材を第１係着部位に係着し、第２係着部材を第２係着部位に係着した場合に、通路内の遊技媒体が当接する接合部位の内面が段差の無い状態となるため、通路内を遊技媒体がスムーズに移動することが可能であり、通路内で遊技媒体が詰まる等の虞を低減することが可能となる。
【００１９】
請求項３の発明によれば、第１分割体と前記第２分割体は、通路内の遊技媒体が移動する方向に対して傾斜する方向或いは直交する方向に組み合わされて接合部位が通路内の遊技媒体が移動する方向に対して一致する方向或いは傾斜する方向に沿う構成からなるため、第１分割体と第２分割体が半割筒状で構成されることになっての金型を起こし易くすることが可能であり、通路内を遊技媒体がスムーズに移動することが可能となる。なお、ここでいう「直交する」と「一致する」は、垂直線に対して多少傾斜している状態や凹凸の状態を含んでもよいことを意味する。
【００２０】
請求項４の発明によれば、第１分割体と前記第２分割体は、前記通路内の遊技媒体が移動する方向に組み合わされて前記接合部位が前記通路内の遊技媒体が移動する方向に対して傾斜した方向或いは直交方向に沿う構成からなるため、通路内を遊技媒体がスムーズに移動することが可能となる。なお、ここでいう「傾斜した方向或いは直交方向に沿う」は、多少の凹凸状態や垂直線に対して多少傾斜している状態を含んでもよいことを意味する。
【００２１】
請求項５の発明によれば、通路は、少なくとも一部が屈曲形状に構成されているため、遊技媒体通路の流下方向を多様化させつつも通路内を遊技媒体がスムーズに移動することが可能となる。
【００２２】
請求項６の発明によれば、第１係着部材は前記通路の外面の第１係着部位が嵌る孔或いは切り欠きを有し、第２係着部材は前記通路の外面の前記第２係着部位が嵌る孔或いは切り欠きを有しているため、第１分割体と第２分割体の組み合わせ状態における通路のずれ発生の虞を一層低減させることが可能であり、さらに、第１係着部位と前記第２係着部位における前記通路の外周の大きさが互いに異なり、第１係着部材と前記第２係着部材の前記孔或いは切り欠きは、第１係着部位と前記第２係着部位における前記通路の外周の大きさに合わせて互いに異なっているため、第１係着部材と第２係着部材を間違った係着部位に係着する虞を低減させることが可能となる。
【００２３】
請求項７の発明によれば、第１係着部位と前記第２係着部位における通路の外周及び第１係着部位と第２係着部位の孔或いは切り欠きの多様化が可能であり、また、第１係着部位と前記第２係着部位における通路の外周の一方を円形、他方を多角形とし、第１係着部材と第２係着部材の孔或いは切り欠きを、第１係着部位と第２係着部位における前記通路の外周の形状に合わせた形状とすることにより、第１係着部材と第２係着部材を間違った係着部位に係着する虞を低減させることが可能となる。
【００２４】
請求項８の発明によれば、第１係着部位と第２係着部位は、通路の外面の異なる段差位置からなるため、第１係着部材と第２係着部材を第１係着部位、第２係着部位に係着することが可能となる。
【００２５】
請求項９のに発明によれば、、第１係着部位と第２係着部位における通路の外面の段差位置の起立壁面が係着部材の係着位置決め部であるため、第１係着部材と第２係着部材を位置決めして係着することが可能となる。
【００２６】
請求項１０の発明によれば、第１係着部材と第２係着部材を通路の外面の係着部位に係着する際、正しい係着順序で行わないと第１係着部材と第２係着部材を係着することができないため、誤った係着位置に第１係着部材と第２係着部材を係着する虞を低減することが可能である。
【００２７】
請求項１１の発明によれば、第１係着部材と第２係着部材を通路の外面の係着部位に係着する際、何れの係着部材を先に係着しても第１係着部材と第２係着部材を通路の外面の正しい係着部位に係着することが可能であるため、係着作業の容易化が可能となる。
【図面の簡単な説明】
【００２８】
【図１】本発明の一実施例に係る遊技機の正面図である。
【図２】同遊技機の表示装置装飾部材と遊技盤と表示装置等の分解斜視図である。
【図３】同遊技機におけるワープルートの斜視図である。
【図４】ワープルートの遊技媒体通路と装飾部材の斜視図である。
【図５】通路と第１係着部材及び第２係着部材の斜視図である。
【図６】第１分割体、第２分割体、第１係着部材及び第２係着部材の斜視図である。
【図７】他の実施例に係る遊技媒体通路の斜視図である。
【図８】図７の遊技媒体通路の組み立てを示す斜視図である。
【図９】他の通路の例を示す斜視図である。
【図１０】他の係着部位の例を示す斜視図である。
【図１１】通路の内周形状の例を示す図である。
【図１２】他の例の係着部材の孔と切り欠きの例を示す図である。
【図１３】係着部材の係着順を逆にしても係着可能な例を示す図である。
【発明を実施するための形態】
【００２９】
以下、添付の図面に基づき本発明の実施形態を説明する。
図１に示す遊技機１は、遊技媒体として遊技球を用いるパチンコ遊技機であって、遊技盤２の縁に外レール３及び内レール４が略円形に配置され、前記外レール３及び内レール４によって区画された遊技領域６が前記遊技盤２上に設けられている。遊技機１の前面側には、装飾ランプ３５、払い出された遊技球を受けるための球受け用上皿３６、該球受け用上皿３６の満杯時に遊技球を受けるための球受け用下皿３７、効果音等を発するスピーカ３８、遊技者の発射操作に応じて遊技球を前記遊技領域６へ向けて弾発発射するための発射装置６４が設けられている。前記遊技機１にはプリペイドカードユニット６６が取り付けられている。なお、符号Ｗ１は遊技機の外枠、Ｗ２は外枠Ｗ１に取り付けられた前枠、Ｇは前枠Ｗ２に開閉可能にヒンジで取り付けられたガラス枠である。前記遊技盤２は前枠Ｗ２に取り付けられ、前記ガラス枠Ｇを通して遊技機前方側から遊技者が遊技盤２の遊技領域６を視認可能となっている。以下、遊技機１の主要な部分について説明する。
【００３０】
前記遊技領域６には、前記遊技領域６に打ち込まれた遊技球を誘導する複数の釘（図示せず）が所要位置に立設され、中心線上の上部から下部に向かって順に表示装置１０、上側始動入賞口４１、下側始動入賞口４２、大入賞口４５、アウト口４９が配置されている。前記上側始動入賞口４１及び前記下側始動入賞口４２の左には左袖上側入賞口５１、左袖下側入賞口５２が配置され、さらに前記大入賞口４５の左右には左落とし入賞口５３と右落とし入賞口５４が配置されている。また、前記表示装置１０の左には普通図柄変動開始用ゲート５５、その下方には風車５６が設けられている。
【００３１】
前記上側始動入賞口４１、下側始動入賞口４２、大入賞口４５、左袖上側入賞口５１、左袖下側入賞口５２、左落とし入賞口５３、右落とし入賞口５４は、前記遊技領域６内を流下する遊技球が入賞（入球）可能な複数の入賞装置に相当する。前記の各入賞口（入賞装置）に遊技球が入賞（入球）して入賞が検出されると１入賞球の検出に対して所定個数の賞品球（遊技球）が遊技者に払い出される。
【００３２】
前記表示装置１０は、識別情報を表示可能なものであって、液晶，ドットマトリックス若しくはＬＥＤ表示装置等の画像表示装置からなる。前記表示装置１０は、本実施例では、液晶表示器（ＴＦＴ−ＬＣＤモジュール）で構成されている。識別情報は、図柄等、遊技者が識別可能なものであり、図柄や文字等を挙げることができる。
【００３３】
前記表示装置１０は、左下部に普通図柄表示部５０が組み込まれ、他の部分が特別図柄表示部１１となっている。前記特別図柄表示部１１は、遊技が大当たりか否かの判定結果を特別図柄（判定図柄）の組み合わせで表示する部分であり、左側で左特別図柄（中判定図柄）が、中央で中特別図柄（中判定図柄）が、右側で右特別図柄（右判定図柄）が、それぞれ変動表示及び停止可能となっている。
【００３４】
本実施例において前記特別図柄表示部１１で変動および停止表示される左、中、右特別図柄は、それぞれ『１，２，３，４，５，６，７，８』の８通りの図柄とされ、遊技が大当たりの場合には、前記特別図柄表示部１１に大当たりの特別図柄組合せ、この例では『１，１，１』（いわゆる‘１’のぞろ目）や『２，２，２』（いわゆる‘２’のぞろ目）等、同一数字の組合せ）で特別図柄が停止表示され、大当たりであることを示す。
【００３５】
前記普通図柄表示部５０は、記号或いは絵（キャラクタ）等の普通図柄を変動表示及び停止表示可能とされている。本実施例における普通図柄表示部５０に変動及び停止表示される普通図柄は、『０，１，２，３，４，５，６，７，８，９』の１０通りの図柄とされ、普通図柄当たりの場合には、奇数が停止表示され、普通図柄当たりであることを示す。
【００３６】
前記表示装置１０は、図２に示すように、前記遊技盤２の中央に形成されている開口窓２Ａを塞ぐようにして前記遊技盤２の背面側に取付枠２Ｂを介して取り付けられ、前記開口窓２Ａを通して遊技機１の前方から視認可能となっている。また、前記遊技盤２の前面側における前記記開口窓２Ａの周囲には、表示装置装飾部材７１が取り付けられる。前記表示装置装飾部材７１は、中央が開口した枠状の飾りからなり、中央の開口部７１Ａを通して前記表示装置１０の表示画面が視認可能となっている。
【００３７】
前記表示装置装飾部材７１の前面下部には、前記表示装置１０の下方位置で遊技球を受けることが可能なステージ（棚）７１Ｂが前方へ突出して設けられている。前記ステージ７１Ｂは、遊技球がステージ７１Ｂの上を揺動可能に湾曲していると共に遊技球がステージ７１Ｂの前端から下方へ落下可能になっている。また、前記表示装置装飾部材７１の前面左側には、前記表示装置１０の左外側上方から流下してくる遊技球を前記ステージ７１Ｂの上面へ誘導可能なワープルート８１が取り付けられている。前記表示装置装飾部材７１と前記ワープルート８１はセンター役物とも称される。
【００３８】
前記ワープルート８１は図３及び図４に示すように、装飾部材８１Ａ、８１Ｂ、８１Ｃと遊技媒体通路８３とよりなる。
前記装飾部材８１Ａ、８１Ｂ、８１Ｃは、前記遊技媒体通路８３の外面に取り付けられる飾りで構成されている。
【００３９】
前記遊技媒体通路８３は、図４及び図５に示すように、第１分割体８５、第２分割体８７、第１係着部材８９、第２係着部材９１とよりなる。
前記第１分割体８５と前記第２分割体８７は、組み合わせによって通路８４を構成する。前記通路８４は、内部を遊技媒体としての遊技球が移動可能な内径の筒状体からなり、本実施例では、略弧状の屈曲形状をした筒状体となっている。図５及び図６に示すように、前記第１分割体８５と前記第２分割体８７は、前記通路８４を長さ方向に沿って切断した、すなわち前記通路８４内の遊技球の移動方向Ｌに対して直交方向に通路８４を２分割した半割筒状体からなり、前記通路８４の直径方向に組み合わされ、すなわち前記遊技球の移動する方向Ｌに対して直交する方向Ｄに組み合わされて前記通路８４を構成する。前記第２分割体８７における接合面８７Ａには、前記第１分割体８５との組み合わせ時に前記第１分割体８５の接合面８５Ａにおける位置決め用凹部(図示せず)と係合する位置決め用突部８７Ｂが形成されている。
【００４０】
前記第１分割体８５と前記第２分割体８７の組み合わせによって形成される前記通路８４の外面は、階段形状となっており、後述する第１係着部材８９の孔８９Ａ及び第２係着部材９１の孔９１Ａに挿入される前記通路８４の一端８４Ｔ側から見て順に第１係着部材挿通可能部８４Ａ、第２係着部材挿通可能部８４Ｂ、第１及び第２係着部材挿通不可能部８４Ｃとなっている。前記通路８４の外径は、前記第１係着部材挿通可能部８４Ａと前記第２係着部材挿通可能部８４Ｂと前記第１及び第２係着部材挿通不可能部８４Ｃとで互いに異なっている。本実施例では、前記第１係着部材挿通可能部８４Ａの外径＜前記第２係着部材挿通可能部８４Ｂの外径＜前記第１及び第２係着部材挿通不可能部８４Ｃの外径となっており、前記第１係着部材挿通可能部８４Ａに対して前記第２係着部材挿通可能部８４Ｂは外径が階段状に一段大とされ、さらに前記第２係着部材挿通可能部８４Ｂに対して前記第１及び第２係着部材挿通不可能部８４Ｃは外径が階段状に一段大とされている。また、前記第１係着部材挿通可能部８４Ａの長さｊは、前記第１係着部材８９の厚みより大とされ、また前記第２係着部材挿通可能部８４Ａの長さｋは、前記第２係着部材の厚みより大にされている。
【００４１】
前記通路８４の外面の前記第１係着部材挿通可能部８４Ａにおける前記第２係着部材挿通可能部８４Ｂとの境界部位の段差位置が第１係着部位８４Ｄに設定され、前記第２係着部材挿通可能部８４Ｂにおける前記第１及び第２係着部材挿通不可能部８４Ｃとの境界部位の段差位置が第２係着部位８４Ｅに設定されている。すなわち、前記第１係着部材８９の孔８９Ａ及び第２係着部材９１の孔９１Ａに挿入される前記通路８４の一端８４Ｔ側から見て手前側に前記第１係着部位８４Ｄが位置し、奧側に第２係着部位８４Ｅが位置する。前記第１係着部位８４Ｄは前記第１係着部材８９の正規の係着位置であり、前記第２係着部位８４Ｅは前記第２係着部材９１の正規の係着位置である。前記第１係着部位８４Ｄは前記第２係着部位８４Ｅよりも外径が小さく、すなわち前記第１係着部位８４Ｄと前記第２係着部位８４Ｅは互いに形状が異なるものとされている。
【００４２】
また、図５の通路の拡大図に示すように、前記第１係着部材挿通可能部８４Ａにおける前記第２係着部材挿通可能部８４Ｂとの境界の起立壁面、すなわち段差位置の起立壁面Ｑ１と、前記第２係着部材挿通可能部８４Ｂにおける前記第１及び第２係着部材挿通不可能部８４Ｃとの境界の起立壁面、すなわち段差位置の起立壁面Ｑ２とは互いに非平行に形成されており、それによって、前記第１係着部位８４Ｄと前記第２係着部位８４Ｅが互いに非平行となっている。一方の前記段差位置の起立壁面Ｑ１は第１係着部材８９に対する位置決め部となり、他方の前記段差位置の起立壁面Ｑ２は第２係着部材９１に対する位置決め部となる。
【００４３】
前記第１係着部位８４Ｄには、前記第１係着部材８９が前記通路８４の外周を回転しないようにするための回転防止突部８４Ｆが形成され、一方、前記第２係着部位８４Ｅには、前記第２係着部材９１が前記通路８４の外周を回転しないようにするための回転防止突部８４Ｇが形成されている。さらに、前記第２係着部材挿通可能部８４Ｂには、前記第２係着部位８４Ｅに係着した前記第２係着部材９１を、前記第１及び第２係着部材挿通不可能部８４Ｃとの境界における起立壁面（段差位置の起立壁面）Ｑ２との間で挟持する係止部８４Ｈ(図４に示す)が突起状に形成されている。
【００４４】
前記第１係着部材８９は、前記第１係着部位８４Ｄが嵌る孔８９Ａを有する環形状をした板状体からなる。前記孔８９Ａは、前記第１係着部材挿通可能部８４Ａの外径と等しい、すなわち前記第１係着部位８４Ｄの外径と等しい径ｃ１からなり、前記第２係着部材挿通可能部８４Ｂの外径より小、すなわち前記第２係着部位８４Ｅの外径より小に構成されている。前記第１係着部材８９における前記孔８９Ａの周縁には、前記第１係着部材用回転防止突部８４Ｆが嵌る凹状の回転防止凹部８９Ｂが形成されている。
【００４５】
前記第２係着部材９１は、前記第２係着部位８４Ｅが嵌る孔９１Ａを有する環形状をした板状体からなる。前記孔９１Ａは、前記第２係着部材挿通可能部８４Ｂの外径と等しい、すなわち前記第２係着部位８４Ｅの外径と等しい径ｃ２からなり、前記第１係着部材挿通可能部８４Ａの外径及び前記第１係着部材８９の孔８９Ａより大きく、かつ前記第１及び第２係着部材挿通不可能部８４Ｃの外径より小に構成されている。さらに、前記第１係着部材８９は、前記第２係着部材９１の孔９１Ａを通過できない大きさになっている。前記第２係着部材９１における前記孔９１Ａの周縁には、前記第２係着部材用回転防止突部８４Ｇが嵌る凹状の回転防止凹部部９１Ｂが形成されている。
【００４６】
前記ワープルート８１の組み立ては次のように行われる。まず図６に示すように、前記第１分割体８５の接合面８５Ａに形成されている前記位置決め用凹部(図示せず)と、前記第２分割体８７の接合面８７Ａに形成されている前記位置決め用突部８７Ｂの位置を合わせて、前記第１分割体８５と前記第２分割体８７を、前記通路８４における遊技球が移動する方向Ｌに対して直交する方向Ｄに接近させて組み合わせ、図５に示すように前記通路８４を形成する。
【００４７】
その状態で、最初に前記第２係着部材９１の孔９１Ａに前記通路８４を、前記第１係着部材挿通可能部８４Ａ側の一端８４Ｔから挿入し、前記通路８４の外面の前記第２係着部材用回転防止突部８４Ｇと前記第２係着部材９１の回転防止凹部９１Ｂを位置合わせして、前記第２係着部材挿通可能部８４Ｂと前記第１係着部材及び第２係着部材挿通不可能部８４Ｃとの段差位置の起立壁面に衝突するまで挿入して、前記第２係着部材９１を前記第２係着部位８４Ｅに係着する。その際、前記第２係着部材９１は、前記第２係着部材挿通可能部８４Ｂの外面に形成されている前記係止部８４Ｈをやや強引に乗り越えて、前記第２係着部位８４Ｅまで押し込まれる。それによって、前記第２係着部材９１が前記第１分割体８５と前記第２分割体８７との接合部位９２を跨いで前記通路の外面の前記第２係着部位８４Ｅに係着固定した状態となる。
【００４８】
次に前記第１係着部材８９の孔８９Ａに前記通路８４を、前記第１係着部材挿通可能部８４Ａ側の一端から挿入し、前記通路８４の外面の前記第１係着部材用回転防止突部８４Ｆと前記第１係着部材８９の回転防止凹部８９Ｂを位置合わせして、前記第１係着部材挿通可能部８４Ａと前記第２係着部材挿通可能部８４Ｂとの段差位置の起立壁面に衝突するまで挿入し、前記第１着部材８７を前記第１係着部位８４Ｄに係着する。それによって、前記第１係着部材８９が前記第１分割体８５と前記第２分割体８７との接合部位９２を跨いで前記通路の外面の前記第１係着部位８４Ｄに係着した状態となり、図４に示す前記遊技媒体通路８３が形成される。前記第１係着部位８４Ｄに係着した前記第１係着部材８９と前記第２係着部位８４Ｅに係着した前記第２係着部材９１は、前記第１係着部位８４Ｄの段差位置における起立壁面Ｑ１からなる位置決め部と、前記第２係着部位８４Ｅの段差位置における起立壁面Ｑ２からなる位置決め部が非平行のため、平行とはなっていない。
【００４９】
前記の構成では、前記第１係着部位８４Ｄと前記第２係着部位８４Ｅの形状（外径）が異なっており、かつ前記第１係着部材８９には前記第１係着部位８４Ｄの形状（外径）に合わせた孔８９Ａが形成されていると共に、前記第２係着部材９１には前記第２係着部位８４Ｅの形状（外径）に合わせた孔９１Ａが形成されているため、前記第２係着部材９１を誤った係着位置である前記第１係着部位８４Ｄに係着できず、また前記第１係着部材８９を誤った係着位置である前記第２係着部位８４Ｅに係着することができない。さらに、前記第１係着部材８９が前記第２係着部材９１の孔９１Ａ内を通過できない大きさ、すなわち前記第２係着部材９１の孔９１Ａを前記第１係着部材８９の外周よりも小に形成してあるため、前記第２係着部材９１を奧側の第２係着部位８４Ｅに係着した後に、前記第１係着部材８９を手前側の第１係着部位８４Ｄに係着することはできるが、その逆の順序で係着部材の係着を行うことができず、誤った係着部位に係着部材を係着することをより一層防止することが可能である。前記第１係着部材８９が正規の係着部位である前記第１係着部位８４Ｄに係着し、かつ前記第２係着部材９１が正規の係着部位である前記第２係着部位８４Ｅに係着することによって、前記通路８４内の遊技球が当接する前記接合部位９２の内面が段差の無い状態となる。
【００５０】
なお、前記第１係着部材８９を前記第２係着部材９１の孔９１Ａ内を通過可能な大きさとすれば、すなわち前記第２係着部材９１の孔９１Ａを前記第１係着部材８９の外周よりも大に形成しておけば、前記第２係着部材９１を奧側の第２係着部位８４Ｅに係着した後に、前記第１係着部材８９を手前側の第１係着部位８４Ｄに係着することも、その逆に、前記第１係着部材８９を手前側の第１係着部位８４Ｄに係着した後に、前記第１係着部位８４Ｄに係着している第１係着部材８９の外周を通り越して、前記第２係着部材９１を奧側の第２係着部位８４Ｅに係着することも可能となり、作業性の向上が可能となる。図１３の（１３−Ａ）〜（１３−Ｃ）は、その場合の他の例であり、第１分割体５０１と第２分割体が組み合わされた通路５００の外周は、第１係着部位５０７が第２係着部位５０９よりも小とされ、かつ、第１係着部材５１１の孔５１２と第２係着部材５１３の孔５１４は、それぞれ対応する係着部位に合わせた大きさとされ、前記第１係着部材５１１の孔５１２が第２係着部材５１３の孔５１４よりも小とされている。また、前記第１係着部材５１１は、前記第２係着部材５１３の孔１４を通過可能な大きさとなっている。符号５２０は接合部位である。従って、図１３の（１３−Ｂ）に示すように、最初に、前記第２係着部材５１３を前記通路５００において係着部材が挿入される一端５００Ａ側（すなわち通路５００の外周が小さい一端側５００Ａ）から前記第２係着部位５０９に係着し、その後に前記第１係着部材５１１を前記通路の一端５００Ａ側から前記第１係着部位５０７に係着することも、その逆に図１３の（１３−Ｃ）に示すように、最初に前記第１係着部材５１１を前記通路の一端５００Ａ側から前記第１係着部位５０７に係着し、その後に前記第２係着部材５１３を前記通路の一端５００Ａ側から挿入して前記第１係着部位５０７における第１係着部材５１１の外周を通り越して前記第２の係着部位５０９に係着することも可能であり、係着に際して何れの係着部材を先にしてもよい。
【００５１】
前記第１係着部材及び第２係着部材をそれぞれの正しい係着部位に係着した後、前記装飾部材８１Ａ、８１Ｂ、８１Ｃを前記遊技媒体通路８３の外面に取り付けて、図３に示す前記ワープルート８１を形成する。なお、本実施例では、前記装飾部材８１Ａ、８１Ｂが前記遊技媒体通路８３の外面に取り付けられることによって、前記第１係着部材８９が前記第１係着部位８４Ｄにがたつかないように固定される。前記ワープルート８１は、前記遊技媒体通路８３の一端側を前記表示装置装飾部材７１の外側へ向け、他端側を前記ステージ（棚）７１Ａ上へ向けた状態で、前記表示装置装飾部材７１の前面左側に取り付けられる。
【００５２】
前記の遊技媒体通路８３においては、半割筒状体からなる前記第１分割体８５と前記第２分割体８７を遊技球の移動方向に対して直交する方向に組み合わせて通路８４を構成した例であるが、図７に示す遊技媒体通路８３０のように、第１分割体８５０と第２分割体８７０を遊技球の移動方向に組み合わせて通路８４０を構成してもよい。
【００５３】
前記遊技媒体通路８３０は、第１分割体８５０、第２分割体８７０、第１係着部材８９０及び第２係着部材９１０よりなる。
図８の（８−Ａ）及び（８−Ｂ）に示すように、前記第１分割体８５０と前記第２分割体８７０は、組み合わせによって通路８４０を構成する。前記通路８４０は、内部を遊技媒体としての遊技球が移動可能な筒状体からなる。前記第１分割体８５０と前記第２分割体８７０は、前記通路８４０の途中を通路の長さ方向に対して斜めに切断した、すなわち前記通路８４０内の遊技球の移動方向Ｌ１に対して斜めに通路８４０を分割した筒状体からなり、前記通路８４０の長さ方向に組み合わされ、すなわち前記遊技球の移動する方向Ｌ１に組み合わされて前記通路８４０を構成する。前記第１分割体８５０と前記第２分割体８７０の接合部位９２０は、遊技球の移動する方向Ｌ１に対して傾斜している。
【００５４】
前記第１分割体８５０と前記第２分割体８７０の組み合わせによって形成される前記通路８４０の外面は、階段形状となっており、後述する第１係着部材８９０の孔８９０Ａ及び第２係着部材９１０の孔９１０Ａに挿入される前記通路８４０の一端８４０Ｔ側から見て順に第１係着部材挿通可能部８４０Ａ、第２係着部材挿通可能部８４０Ｂ、第１及び第２係着部材挿通不可能部８４０Ｃとなっている。
【００５５】
前記通路８４０の外径は、前記第１係着部材挿通可能部８４０Ａと前記第２係着部材挿通可能部８４０Ｂと前記第１及び第２係着部材挿通不可能部８４０Ｃとで互いに異なっている。本実施例では、前記第１係着部材挿通可能部８４０Ａの外径＜前記第２係着部材挿通可能部８４０Ｂの外径＜前記第１及び第２係着部材挿通不可能部８４０Ｃの外径となっており、前記第１係着部材挿通可能部８４０Ａに対して前記第２係着部材挿通可能部８４０Ｂは外径が階段状に一段大とされ、さらに前記第２係着部材挿通可能部８４Ｂに対して前記第１及び第２係着部材挿通不可能部８４０Ｃは外径が階段状に一段大とされている。
【００５６】
また、前記第１係着部材挿通可能部８４０Ａの長さｍは、前記第１係着部材８９０の厚みより大とされ、また前記第２係着部材挿通可能部８４０Ｂの長さｎは、前記第２係着部材９１０の厚みより大にされている。さらに、前記第１係着部材挿通可能部８４０Ａと前記第２係着部材挿通可能部８４０Ｂとの境界８４０ｂ、及び前記第２係着部材挿通可能部８４０Ｂと前記第１及び第２係着部材挿通不可能部８４０Ｃとの境界８４０ｃは、前記第１分割体８５０と前記第２分割体８７０の接合部位９２０、すなわち前記第１分割体８５０と前記第２分割体８７０の分割部位で分割されるように設けられている。
【００５７】
前記第１係着部材挿通可能部８４０Ａにおける前記第２係着部材挿通可能部８４０Ｂとの境界８４０ｂの段差位置が第１係着部位８４０Ｄに設定され、前記第２係着部材挿通可能部８４０Ｂにおける前記第１及び第２係着部材挿通不可能部８４０Ｃとの境界８４０ｃの段差位置が第２係着部位８４０Ｅに設定されている。すなわち、前記第１係着部材８９０の孔８９０Ａ及び第２係着部材９１０の孔９１０Ａに挿入される前記通路８４０の一端８４０Ｔ側から見て手前側に前記第１係着部位８４０Ｄが位置し、奧側に第２係着部位８４０Ｅが位置する。前記第１係着部位８４０Ｄは前記第１係着部材８９０の正規の係着位置であり、前記第２係着部位８４０Ｅは前記第２係着部材９１０の正規の係着位置である。前記第１係着部位８４０Ｄは前記第２係着部位８４０Ｅよりも外径が小さく、すなわち前記第１係着部位８４０Ｄと前記第２係着部位８４０Ｅは互いに形状が異なるものとされている。
【００５８】
前記第１係着部材挿通可能部８４０Ａにおける前記第２係着部材挿通可能部８４０Ｂとの境界の起立壁面、すなわち段差位置の起立壁面Ｑ１０は第１係着部材８９に対する位置決め部となり、一方、前記第２係着部材挿通可能部８４０Ｂにおける前記第１及び第２係着部材挿通不可能部８４０Ｃとの境界の起立壁面、すなわち段差位置の起立壁面Ｑ２０は第２係着部材９１０に対する位置決め部となる。
【００５９】
また、前記第１係着部材挿通可能部８４０Ａには、前記第１係着部位８４０Ｄに係着した前記第１係着部材８９０を、前記第２係着部材挿通可能部８４０Ｂとの境界８４０ｂにおける起立壁面（段差位置の起立壁面）Ｑ１０との間で挟持する第１係着部材固定用突起８８０Ａが形成されている。また、前記第２係着部材挿通可能部８４０Ｂには、前記第２係着部位８４０Ｅに係着した前記第２係着部材９１０を、前記第１及び第２係着部材挿通不可能部８４０Ｃとの境界８４０ｃにおける起立壁面（段差位置の起立壁面）Ｑ２０との間で挟持する第２係着部材固定用突起８８０Ｂが形成されている。
【００６０】
前記第１係着部材８９０は、前記第１係着部位８４０Ｄが嵌る孔８９０Ａを有する環形状をした板状体からなる。前記孔８９０Ａの径ｆ１は、前記第１係着部材挿通可能部８４０Ａの外径と等しい、すなわち前記第１係着部位８４０Ｄの外径と等しい径からなり、前記第２係着部材挿通可能部８４０Ｂの外径より小、すなわち前記第２係着部位８４０Ｅの外径より小に構成されている。前記第１係着部材８９０における前記孔８９０Ａの周縁には、前記第１係着部材固定用突起８８０Ａが挿通可能な凹部８９０Ｂが形成されている。
【００６１】
前記第２係着部材９１０は、前記第２係着部位８４０Ｅが嵌る孔９１０Ａを有する環形状をした板状体からなる。前記孔９１０Ａの径ｆ２は、前記第２係着部材挿通可能部８４０Ｂの外径と等しい、すなわち前記第２係着部位８４０Ｅの外径と等しい内径からなり、前記第１係着部材挿通可能部８４０Ａの外径より大きく、かつ前記第１及び第２係着部材挿通不可能部８４０Ｃの外径より小に構成されている。前記第２係着部材９１０における前記孔９１０Ａの周縁には、前記第２係着部材固定用突起８８０Ｂが挿通可能な凹部９１０Ｂが形成されている。
【００６２】
前記遊技媒体通路８３０の組み立ては次のように行われる。まず図８の（８−Ａ）のように前記第１分割体８５０と前記第２分割体８７０を、前記通路８４における遊技球が移動する方向Ｌ１に接近させて組み合わせ、図８の（８−Ｂ）に示すように前記通路８４０を形成する。
【００６３】
その状態で、図８の（８−Ｃ）のように最初に前記第２係着部材９１０の孔９１０Ａに前記通路８４０を、前記第１係着部材挿通可能部８４Ａ０側の一端８４０Ｔから挿入し、前記通路８４０の外面の前記第２係着部材固定用突起８８０Ｂと前記第２係着部材９１０の凹部９１０Ｂを位置合わせして、前記第２係着部材挿通可能部８４０Ｂと前記第１係着部材及び第２係着部材挿通不可能部８４０Ｃとの段差位置の起立壁面Ｑ２０に衝突するまで挿入し、前記第２係着部材９１０を前記第２係着部位８４０Ｅに係着し、さらに前記第２係着部材９１０を前記通路８４０の外面で所定量回転させて前記第２係着部材固定用突起８８０Ｂと前記第２係着部材９１の凹部９１０Ｂの位置を異ならせる。それによって、前記第２係着部材９１０が前記第１分割体８５０と前記第２分割体８７０との接合部位９２０を跨いで前記通路８４０の外面の前記第２係着部位８４０Ｅに固定された状態となる。
【００６４】
次に前記第１係着部材８９０の孔８９０Ａに前記通路８４０を、前記第１係着部材挿通可能部８４０Ａ側の一端８４０Ｔから挿入し、前記通路８４０の外面の前記第１係着部材固定用突起８８０Ａと前記第１係着部材８９０の凹部８９０Ｂを位置合わせし、前記第１係着部材挿通可能部８４０Ａと前記第２係着部材挿通可能部８４０Ｂとの段差位置の起立壁面Ｑ１０に衝突するまで挿入して、前記第１着部材８７０を前記第１係着部位８４０Ｄに係着し、さらに前記第１係着部材８９０を前記通路の８４０の外面で所定量回転させて前記第１係着部材固定用突起８８０Ａと前記第１係着部材８９０の凹部８９０Ｂの位置を異ならせる。それによって、前記第１係着部材８９０が前記第１分割体８７０と前記第２分割体９１０との接合部位９２０を跨いで前記通路８４０の外面の前記第１係着部位８４０Ｄに固定された状態となり、前記遊技媒体通路８３０が形成される。その後、装飾部材（図示せず）を前記遊技媒体通路８３０の外面に取り付けてワープルートを形成する。前記通路８４０は、少なくとも一部が屈曲形状とされてもよい。また、前記段差位置の起立壁面Ｑ１０とＱ２０を互いに非平行として、前記第１係着部位８４０Ｄに係着された第１係着部材８９０と前記第２係着部位８４０Ｅに係着された第２係着部材９１０が平行にならないようにしてもよい。さらに、前記接合部位９２０が前記通路８３０内の遊技球が移動する方向に対して直交方向に沿う構成であってもよい。
【００６５】
前記の構成では、前記第１係着部位８４０Ｄと前記第２係着部位８４０Ｅの形状（外径）が異なっており、かつ前記第１係着部材８９０には前記第１係着部位８４０Ｄの形状（外径）に合わせた孔８９０Ａが形成されていると共に、前記第２係着部材９１０には前記第２係着部位８４０Ｅの形状（外径）に合わせた孔９１０Ａが形成されているため、前記第２係着部材９１０を誤った係着位置である前記第１係着部位８４０Ｄに係着できず、また前記第１係着部材８９０を誤った係着位置である前記第２係着部位８４０Ｅに係着することができない。
【００６６】
さらに、前記第１係着部材８９０は前記第２係着部材９１０の孔９１０Ａ内を通過できない大きさに形成しておくこと、すなわち前記第２係着部材９１０の孔９１０Ａを前記第１係着部材８９０の外周よりも小にすることにより、前記第２係着部材９１０を奧側の第２係着部位８４０Ｅに係着した後に、前記第１係着部材８９０を手前側の第１係着部位８４０Ｄに係着することができるが、その逆の順序では係着部材の係着を行うことができず、誤った係着部位に係着部材を係着することをより一層防止することが可能となる。前記第１係着部材８９０が正規の係着部位である前記第１係着部位８４０Ｄに係着し、かつ前記第２係着部材９１０が正規の係着部位である前記第２係着部位８４０Ｅに係着することによって、前記通路８４０内の遊技球が当接する前記接合部位９２０の内面が段差の無い状態となる。
【００６７】
また、前記第１係着部材８９０が前記第２係着部材９１０の孔９１０Ａ内を通過可能な大きさにしておけば、すなわち前記第２係着部材９１０の孔９１０Ａを前記第１係着部材８９０の外周よりも大に形成しておけば、前記第２係着部材９１０を奧側の第２係着部位８４０Ｅに係着した後に、前記第１係着部材８９０を手前側の第１係着部位８４０Ｄに係着することも、その逆に、前記第１係着部材８９０を手前側の第１係着部位８４０Ｄに係着した後に、前記第１係着部位８４０Ｄに係着している第１係着部材８９０の外周を通り越して、前記第２係着部材９１０を奧側の第２係着部位８４０Ｅに係着することも可能となり、作業性の向上が可能となる。
【００６８】
また、前記第１分割体と第２分割体を前記通路内の遊技球の移動方向に対して傾斜する方向に組み合わせ、前記接合部位を遊技球が移動する方向に対して傾斜する方向に沿う構成としたり、前記第１係着部材と第２係着部材は、前記通路内の遊技球が移動する方向に対して傾斜する方向に前記接合部位を跨いで前記第１係着部位と前記第２係着部位に係着したりするようにしてもよい。例えば図９に示す通路８４１は、第１分割体８５１と第２分割体８７１を、前記通路８４１内の遊技球の移動方向Ｌ２に対して傾斜する方向或いは直交する方向に組み合わせたものであり、前記第１分割体８５１と前記第２分割体８７１の接合部位９２１は、遊技球の移動する方向Ｌ２に対して傾斜した状態となっている。符号８４１Ｄは第１係着部位、８４１Ｅは第２係着部位、８８１Ａは第１係着部材固定用突起、８８１Ｂは第２係着部材固定用突起、８９１は第１係着部材、８９１Ａは第１係着部材の孔、８９１Ｂは前記第１係着部材固定用突起８８１Ａが通過可能の凹部、９１１は第２係着部材、９１１Ａは第２係着部材の孔、９１１Ｂは前記第２係着部材固定用突起８８１Ｂが通過可能の凹部である。
【００６９】
さらに、前記第１係着部位及び前記第２係着部位における前記通路の外周は、前記のように両方とも円形に限られず、何れか一方を円形、他方を多角形としたり、両方とも多角形としたりしてもよい。例えば、図１０の（１０−Ａ）に示す通路６００は、第１係着部位６００Ｄにおける通路６００の外周を円形とし、第２係着部位６００Ｅにおける通路６００の外周を多角形（四角形）とした例である。符号６１１は第１分割体、６１３は第２分割体である。また、図１０の（１０−Ｂ）に示す通路７００は、第１係着部位７００Ｄ及び第２係着部位７００Ｅにおける通路７００の外周を、何れも多角形（四角形）とした例である。符号７１１は第１分割体、７１３は第２分割体である。なお、前記第１係着部材と前記第２係着部材の孔は、前記第１係着部位と第２係着部位における通路の外周形状に合わせて円形あるいは図１２の（１２−Ｂ）に示すように多角形の孔９５１とされる。
【００７０】
前記通路の内周形状は、図１１の（１１−Ａ）及び（１１−Ｂ）に示す内周Ｕ１、Ｕ２のように円形であっても、あるいは（１１−Ｃ）及び（１１−Ｄ）に示す内周Ｕ３、Ｕ４のように四角形等の多角形であってもよい。
【００７１】
また、前記の例で示した第１係着部材及び前記第２係着部材の孔は、図１２の（１２−Ａ）及び（１２−Ｂ）に示すように孔９５０、９５１の周囲が閉じた円形あるいは多角形のものであるが、周囲が閉じた孔に代えて、図１２の（１２−Ｃ）、（１２−Ｄ）に示すように、前記第１係着部位あるいは第２係着部位に係着可能な切り欠き９５３、９５５で構成してもよい。なお、前記「切り欠き」は、孔の周囲の一部が除去されて孔の内外を通じる開口部９５４、９５６が形成されたものであり、孔の内外を通じる開口部（あるいは切り欠き）９５４、９５６を有する孔と称することもできる。
【００７２】
前記遊技盤２における前記上側始動入賞口４１は上部が開口しており、前記遊技領域６を流下してきた遊技球が上方から入賞（入球）可能に構成されている。前記下側始動入賞口４２は、２つの可動片４２ａ、４２ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記下側始動入賞口４２の拡開開放は、前記普通図柄表示部５０で普通図柄が変動した後特定の普通図柄（本実施例では奇数）で確定停止表示されて普通図柄当たりが成立した時に行われる。
【００７３】
また、前記遊技盤２の背面には、上側始動入賞口検出スイッチ（上側始動入賞口センサ）、下側始動入賞口検出スイッチ（下側始動入賞口センサ）が入賞球用通路にそれぞれ独立して設けられており、前記上側始動入賞口４１と下側始動入賞口４２への遊技球の入賞（入球）を検出するように構成されている。
【００７４】
前記普通図柄変動開始用ゲート５５は、前記遊技盤２の背面に設けられた普通図柄変動開始スイッチで普通図柄変動開始用ゲート５５を通過する遊技球を検出することによって前記普通図柄表示部５０で普通図柄の変動を開始させるようになっている。また、前記左袖上側入賞口５１と左袖下側入賞口５２の入賞球を検出する左袖上側入賞口用検出スイッチ（左袖上側入賞口センサ）と左袖下側入賞口用検出スイッチ（左袖下側入賞口センサ）、前記左落とし入賞口５３と右落とし入賞口５４の入賞球を検出する左落とし入賞口用検出スイッチ（左落とし入賞口センサ）と右落とし入賞口用検出スイッチ（右落とし入賞口センサ）が、それぞれ対応する遊技盤背面の位置に設けられている。
【００７５】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当否判定結果が大当たりの場合に実行される大当たり遊技（特別遊技）時に１５ラウンド（１５回）開放される。また、前記大入賞口４５内には、大入賞口４５に入賞した入賞球を検出する大入賞口用検出スイッチ（大入賞口センサ）が設けられている。
【００７６】
前記発射装置６４は、操作レバー６５の操作により駆動する発射モータを裏側に有し、該発射モータの駆動により遊技球を弾発発射するようになっている。前記発射装置６４により発射された発射球は、前記遊技盤面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４９から遊技盤２の裏側へ排出される。
【００７７】
また、前記遊技機１の裏側には、複数の制御基板や装置等が設けられている。制御基板の主なものとして、ＣＰＵ、ＲＡＭ、ＲＯＭおよび複数のカウンタを備えたマイクロコンピュータを少なくとも備えて遊技の制御を行い、他の制御基板や装置に信号を出力する主制御基板、ＣＰＵ、ＲＯＭ、ＲＡＭ、複数のカウンタを備えたマイクロコンピュータを少なくとも備え、前記主制御基板と共に遊技の制御を行うサブ制御基板、前記表示装置１０を制御する表示制御基板、スピーカ３８からの音声を制御する音声制御基板、遊技球の払出を制御する払出制御基板、遊技機に必要な電源を供給する電源基板、前記発射装置６４を制御する発射制御基板等があり、各制御基板には制御回路が設けられている。
【００７８】
前記遊技機１における遊技について簡略に説明する。前記遊技機１においては、前記遊技領域６へ向けて前記発射装置６４により発射された遊技球が、前記遊技領域６を流下し、前記種々の入賞口に入賞して入賞が検出されると、入賞口毎に１入賞球の検出に対して設定されている払出個数の遊技球が賞品球として前記球受け用上皿３６に払い出される。なお、前記球受け用上皿３６に払い出された遊技球は、前記球受け用上皿３６が満杯の場合、前記球受け用下皿３７へ誘導される。
【００７９】
また、前記遊技領域６へ向けて発射された遊技球が、前記普通図柄変動開始用ゲート５５を通過すると、普通図柄乱数が取得され、その取得乱数に基づいて普通図柄の当たり判定が行われ、前記普通図柄表示部５０で普通図柄が変動を開始し、所定時間変動後に停止する。その際、前記普通図柄の当たり判定結果が当たりの場合には、普通図柄当たり、この例では奇数で停止し、前記下側始動入賞口４２の２つの可動片４２ａ、４２ｂが背面の下側始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記下側始動入賞口４２に遊技球が入賞して検出されると賞品球が払い出される。
【００８０】
また、前記遊技領域６を流下する遊技球は、前記表示装置１０の左側に配置されている前記ワープルート８１の通路８４を通って前記ステージ７１Ｂ上へ誘導されることがある。その際、前記通路８４内の遊技球が当接する前記第１分割体８５と第２分割体８７との接合部位９２の内面が段差の無い状態となっているため、スムーズに遊技球が通路８４内を移動する。前記通路８４内を移動して前記ステージ７１Ｂ上に至った遊技球は、しばらく前記ステージ７１Ｂ上を左右に揺動した後にステージ７１Ｂから落下して前記上側始動入賞口４１あるいは前記下側始動入賞口４２へ入賞し、又は前記上側始動入賞口４１及び前記下側始動入賞口４２の何れにも入賞することなく下方へ流下する。
【００８１】
前記上側始動入賞口４１あるいは下側始動入賞口４２に遊技球が入賞して検出されると賞品球が払い出されると共に、大当たり乱数及び大当たり図柄乱数が取得されて、取得された大当たり乱数に基づいて大当たりの当否判定が行われる。
前記大当たりの当否判定結果が当たり（大当たり）の場合には、前記取得された大当たり図柄乱数に基づいて前記特別図柄表示部１１に大当たり図柄（大当たり判定図柄）、この例では『１，１，１』（いわゆる‘１’のぞろ目）や『２，２，２』（いわゆる‘２’のぞろ目）等、同一数字の組合せ）で停止表示され、大当たり遊技（特別遊技）に移行する。前記大当たり遊技状態になると、前記大入賞口４５の開閉板４６が開いて遊技領域６の表面を落下してくる遊技球を受け止め易くして、大入賞口４５へ入賞可能にする。前記大入賞口４５への入賞が検出されると、１入賞球の検出に対して設定されている払出個数の賞品球が払い出される。前記開閉板４６は、所定時間（例えば２９．５秒）経過後、或いは入賞球数が所定個数（例えば１０個）となった時点で閉じるようにされている。また、前記大入賞口４５は、前記開閉板４６の開放を所定ラウンド数（例えば１５ラウンド）繰り返すようになっている。
【００８２】
本発明は、前記の構成によって遊技媒体通路が構成されているため、通路を形成する分割体にズレが生じることがなく、通路内を遊技媒体がスムーズに移動可能である。なお、本発明は、前記の実施例に限定されるものではなく、発明の趣旨を逸脱しない範囲で変更可能である。例えば、前記遊技媒体通路は、ワープルートに限られず、他の遊技媒体移動部に用いられるものであってもよい。
【符号の説明】
【００８３】
１  遊技機
２  遊技盤
６  遊技領域
１０  表示装置
６４  発射装置
８３，８３０  遊技媒体通路
８４，８４０  通路
８４Ｄ，８４０Ｄ  第１係着部位
８４Ｅ，８４０Ｅ  第２係着部位
８５，８５０  第１分割体
８７，８７０  第２分割体
８９，８９０  第１係着部材
９１，９１０  第２係着部材
９２，９２０  接合部位
【図１】
0005133388.tif 000002
【図２】
0005133388.tif 000003
【図３】
0005133388.tif 000004
【図４】
0005133388.tif 000005
【図５】
0005133388.tif 000006
【図６】
0005133388.tif 000007
【図７】
0005133388.tif 000008
【図８】
0005133388.tif 000009
【図９】
0005133388.tif 000010
【図１０】
0005133388.tif 000011
【図１１】
0005133388.tif 000012
【図１２】
0005133388.tif 000013
【図１３】
0005133388.tif 000014